(57)【特許請求の範囲】
【請求項１】
携帯端末装置からジョブ要求を受信し、受信した前記ジョブ要求に従って印刷ジョブを実行する画像形成装置において、
ジョブ管理部と、
端末追跡部とを備え、
前記端末追跡部は、前記ジョブ要求を送信した前記携帯端末装置の現在位置を繰り返し特定し、
前記ジョブ管理部は、（ａ）前記ジョブ要求に基づき前記印刷ジョブの印刷所要時間を予測し、（ｂ）前記携帯端末装置の現在位置に基づき、現時点での前記携帯端末装置の現在位置から前記画像形成装置までの移動時間を特定し、（ｃ）特定した前記移動時間が前記印刷所要時間以下であるか否かを判定し、（ｄ１）特定した前記移動時間が前記印刷所要時間以下ではない場合、前記印刷ジョブをただちには実行せずに待機状態とし、（ｄ２）特定した前記移動時間が前記印刷所要時間以下であると判定した場合、前記印刷ジョブを実行し、
前記ジョブ管理部は、過去に特定した前記携帯端末装置の移動経路および移動時間に基づいて前記移動時間を予測することを特徴とする画像形成装置。
【請求項２】
携帯端末装置からジョブ要求を受信し、受信した前記ジョブ要求に従って印刷ジョブを実行する画像形成装置において、
ジョブ管理部と、
端末追跡部とを備え、
前記端末追跡部は、前記ジョブ要求を送信した前記携帯端末装置の現在位置を繰り返し特定し、
前記ジョブ管理部は、（ａ）前記ジョブ要求に基づき前記印刷ジョブの印刷所要時間を予測し、（ｂ）前記携帯端末装置の現在位置に基づき、現時点での前記携帯端末装置の現在位置から前記画像形成装置までの移動時間を特定し、（ｃ）特定した前記移動時間が前記印刷所要時間以下であるか否かを判定し、（ｄ１）特定した前記移動時間が前記印刷所要時間以下ではない場合、前記印刷ジョブをただちには実行せずに待機状態とし、（ｄ２）特定した前記移動時間が前記印刷所要時間以下であると判定した場合、前記印刷ジョブを実行し、
前記ジョブ管理部は、特定した前記移動時間が前記印刷所要時間以下であると判定した場合、実行中の印刷ジョブがあるときには、特定した前記移動時間が、前記実行中の印刷ジョブのジョブ要求を送信した携帯端末装置の現在位置から当該画像形成装置までの移動時間より短ければ、前記実行中の印刷ジョブを中断して、受信した前記ジョブ要求に従って前記印刷ジョブをただちに実行することを特徴とする画像形成装置。
【請求項３】
携帯端末装置からジョブ要求を受信し、受信した前記ジョブ要求に従って印刷ジョブを実行する画像形成装置において、
ジョブ管理部と、
端末追跡部とを備え、
前記端末追跡部は、前記ジョブ要求を送信した前記携帯端末装置の現在位置を繰り返し特定し、
前記ジョブ管理部は、（ａ）前記ジョブ要求に基づき前記印刷ジョブの印刷所要時間を予測し、（ｂ）前記携帯端末装置の現在位置に基づき、現時点での前記携帯端末装置の現在位置から前記画像形成装置までの移動時間を特定し、（ｃ）特定した前記移動時間が前記印刷所要時間以下であるか否かを判定し、（ｄ１）特定した前記移動時間が前記印刷所要時間以下ではない場合、前記印刷ジョブをただちには実行せずに待機状態とし、（ｄ２）特定した前記移動時間が前記印刷所要時間以下であると判定した場合、前記印刷ジョブを実行し、
前記ジョブ管理部は、前記印刷所要時間が所定値以上である場合、前記印刷ジョブにおける所定枚数だけ、ただちに印刷を実行し、前記移動時間が前記印刷ジョブにおける残りの印刷枚数の印刷所要時間以下となったときに、残りの印刷を開始することを特徴とする画像形成装置。
【請求項４】
携帯端末装置からジョブ要求を受信し、受信した前記ジョブ要求に従って印刷ジョブを実行する画像形成装置において、
ジョブ管理部と、
端末追跡部とを備え、
前記端末追跡部は、前記ジョブ要求を送信した前記携帯端末装置の現在位置を繰り返し特定し、
前記ジョブ管理部は、（ａ）前記ジョブ要求に基づき前記印刷ジョブの印刷所要時間を予測し、（ｂ）前記携帯端末装置の現在位置に基づき、現時点での前記携帯端末装置の現在位置から前記画像形成装置までの移動時間を特定し、（ｃ）特定した前記移動時間が前記印刷所要時間以下であるか否かを判定し、（ｄ１）特定した前記移動時間が前記印刷所要時間以下ではない場合、前記印刷ジョブをただちには実行せずに待機状態とし、（ｄ２）特定した前記移動時間が前記印刷所要時間以下であると判定した場合、前記印刷ジョブを実行し、
前記ジョブ管理部は、印刷物の排出先が１つである場合、印刷完了後、前記移動時間が所定値未満になるまで、他のジョブ要求を受け付けると、他のジョブ要求による印刷ジョブの実行を遅延させることを特徴とする画像形成装置。
【請求項５】
携帯端末装置からジョブ要求を受信し、受信した前記ジョブ要求に従って印刷ジョブを実行する画像形成装置において、
ジョブ管理部と、
端末追跡部と、
前記ジョブ要求が受信されたときの前記携帯端末装置の位置から当該画像形成装置までの実際の移動時間を計測し、計測した前記移動時間が、最短経路に基づく標準時間より所定時間以上長い場合には警告を出力する警告部を備え、
前記端末追跡部は、前記ジョブ要求を送信した前記携帯端末装置の現在位置を繰り返し特定し、
前記ジョブ管理部は、（ａ）前記ジョブ要求に基づき前記印刷ジョブの印刷所要時間を予測し、（ｂ）前記携帯端末装置の現在位置に基づき、現時点での前記携帯端末装置の現在位置から前記画像形成装置までの移動時間を特定し、（ｃ）特定した前記移動時間が前記印刷所要時間以下であるか否かを判定し、（ｄ１）特定した前記移動時間が前記印刷所要時間以下ではない場合、前記印刷ジョブをただちには実行せずに待機状態とし、（ｄ２）特定した前記移動時間が前記印刷所要時間以下であると判定した場合、前記印刷ジョブを実行することを特徴とする画像形成装置。
【発明の詳細な説明】
【技術分野】
【０００１】
本発明は、画像形成装置に関するものである。
【背景技術】
【０００２】
ある画像形成装置は、印刷出力枚数に応じた印刷開始可能範囲を特定し、モバイル端末が印刷開始可能範囲へ移動してきたと判断すると、印刷を開始する（例えば特許文献１参照）。
【先行技術文献】
【特許文献】
【０００３】
【特許文献１】特開２０１５−１６６１５２号公報
【発明の概要】
【発明が解決しようとする課題】
【０００４】
しかしながら、上述の技術では、モバイル端末を携帯したユーザーが印刷開始可能範囲内に移動しても、直接、画像形成装置２へ向かって移動するとは限らず、例えば移動中に用事が発生したりすると、印刷物を回収するために画像形成装置の設置場所へただちに行かないことがある。また、モバイル端末から画像形成装置までの直線距離が短くてもモバイル端末から画像形成装置までの移動経路が長いことがあり、上述の技術では、適切なタイミングで印刷が開始されない可能性がある。その場合、印刷物が画像形成装置に放置されてしまう。
【０００５】
本発明は、上記の問題に鑑みてなされたものであり、印刷物が画像形成装置に放置される可能性を低くする画像形成装置を得ることを目的とする。
【課題を解決するための手段】
【０００７】
本発明に係る画像形成装置は、携帯端末装置からジョブ要求を受信し、受信した前記ジョブ要求に従って印刷ジョブを実行する画像形成装置であって、ジョブ管理部と、端末追跡部とを備える。前記端末追跡部は、前記ジョブ要求を送信した前記携帯端末装置の現在位置を繰り返し特定する。前記ジョブ管理部は、（ａ）前記ジョブ要求に基づき前記印刷ジョブの印刷所要時間を予測し、（ｂ）前記携帯端末装置の現在位置に基づき、現時点での前記携帯端末装置の現在位置から前記画像形成装置までの移動時間を特定し、（ｃ）特定した前記移動時間が前記印刷所要時間以下であるか否かを判定し、（ｄ１）特定した前記移動時間が前記印刷所要時間以下ではない場合、前記印刷ジョブをただちには実行せずに待機状態とし、（ｄ２）特定した前記移動時間が前記印刷所要時間以下であると判定した場合、前記印刷ジョブを実行する。そして、以下の（Ａ）〜（Ｅ）のいずれかの特徴を有する。（Ａ）前記ジョブ管理部は、過去に特定した前記携帯端末装置の移動経路および移動時間に基づいて前記移動時間を予測する。（Ｂ）前記ジョブ管理部は、特定した前記移動時間が前記印刷所要時間以下であると判定した場合、実行中の印刷ジョブがあるときには、特定した前記移動時間が、前記実行中の印刷ジョブのジョブ要求を送信した携帯端末装置の現在位置から当該画像形成装置までの移動時間より短ければ、前記実行中の印刷ジョブを中断して、受信した前記ジョブ要求に従って前記印刷ジョブをただちに実行する。（Ｃ）前記ジョブ管理部は、前記印刷所要時間が所定値以上である場合、前記印刷ジョブにおける所定枚数だけ、ただちに印刷を実行し、前記移動時間が前記印刷ジョブにおける残りの印刷枚数の印刷所要時間以下となったときに、残りの印刷を開始する。（Ｄ）前記ジョブ管理部は、印刷物の排出先が１つである場合、印刷完了後、前記移動時間が所定値未満になるまで、他のジョブ要求を受け付けると、他のジョブ要求による印刷ジョブの実行を遅延させる。（Ｅ）前記ジョブ要求が受信されたときの前記携帯端末装置の位置から当該画像形成装置までの実際の移動時間を計測し、計測した前記移動時間が、最短経路に基づく標準時間より所定時間以上長い場合には警告を出力する警告部をさらに備える。
【発明の効果】
【０００８】
本発明によれば、印刷物が画像形成装置に放置される可能性が低くなる。
【０００９】
本発明の上記又は他の目的、特徴および優位性は、添付の図面とともに以下の詳細な説明から更に明らかになる。
【図面の簡単な説明】
【００１０】
【図１】図１は、本発明の実施の形態に係る画像形成システムの構成を示すブロック図である。
【図２】図２は、図１における携帯端末装置１および画像形成装置２の構成を示すブロック図である。
【図３】図３は、実施の形態１における画像形成装置２の動作について説明するフローチャートである。
【発明を実施するための形態】
【００１１】
以下、図に基づいて本発明の実施の形態を説明する。
【００１２】
実施の形態１．
【００１３】
図１は、本発明の実施の形態に係る画像形成システムの構成を示すブロック図である。図１に示すシステムでは、複数のユーザーが、スマートフォンなどの携帯端末装置１をそれぞれ携帯しており、さらに、画像形成装置２（複合機、コピー機など）が、それらのユーザーの拠点（オフィスなど）に配置されている。図１に示すシステムでは、携帯端末装置１から画像形成装置２へ印刷ジョブの要求を送信することができる。
【００１４】
図２は、図１における携帯端末装置１および画像形成装置２の構成を示すブロック図である。
【００１５】
携帯端末装置１は、例えばスマートフォンなどのポータブルデバイスであって、無線通信装置１１、位置検出装置１２、表示装置１３、入力装置１４、記憶装置１５、演算処理装置１６などを備える。
【００１６】
無線通信装置１１は、無線ＬＡＮ（Local Area Network）、ブルートゥース（登録商標）などの所定の無線通信規格でデータ通信を行う内部装置である。
【００１７】
位置検出装置１２は、例えばＧＰＳ（Global Positioning System）を利用して当該携帯端末装置１の現在位置を検出する内部装置である。
【００１８】
表示装置１３は、ユーザーに対して操作画面などを表示する液晶ディスプレイなどといった内部装置である。入力装置１４は、ユーザー操作を検出するタッチパネルなどといった内部装置である。
【００１９】
記憶装置１５は、フラッシュメモリー、ハードディスクなどの不揮発性の記憶装置である。記憶装置１５には、プログラム２１などが記憶されている。
【００２０】
演算処理装置１６は、ＣＰＵ（Central Processing Unit）、ＲＡＭ（Random Access Memory）、ＲＯＭ（Read Only Memory）などを有するコンピューターであり、プログラム２１をＲＡＭにロードしＣＰＵで実行することで、ドライバー２２を実現する。
【００２１】
ドライバー２２は、無線通信装置１１などを使用して印刷ジョブのジョブ要求を画像形成装置２へ送信する。
【００２２】
また、ドライバー２２は、無線通信装置１１などを使用して、位置検出装置１２から得られる当該携帯端末装置１の現在位置を、画像形成装置２へ通知する。ドライバー２２は、画像形成装置２からの要求に応じて、現在位置を画像形成装置２へ通知したり、ジョブ要求の送信後、そのジョブ要求の印刷ジョブが完了するまで、定期的かつ自律的に現在位置を画像形成装置２へ通知したりする。
【００２３】
一方、図２において、画像形成装置２は、登録された複数のユーザーにより使用される複合機などであって、印刷装置３１、画像読取装置３２、操作パネル３３、無線通信装置３４、有線通信装置３５、記憶装置３６、およびコントローラー３７を備える。
【００２４】
印刷装置３１は、印刷画像データに基づいて１ページずつ画像を印刷用紙に電子写真方式で印刷する内部装置である。
【００２５】
画像読取装置３２は、原稿から原稿画像を読み取り、その画像データ（つまり、スキャンデータ）を生成する内部装置である。
【００２６】
操作パネル３３は、画像形成装置２の筐体表面に配置され、ユーザーに対して各種情報を表示する表示装置と、ユーザー操作を受け付ける入力装置とを有する。表示装置としては例えば液晶ディスプレイが使用される。入力装置としては、キースイッチ、タッチパネルなどが使用される。
【００２７】
無線通信装置３４は、無線ＬＡＮ、ブルートゥース（登録商標）などの所定の無線通信規格でデータ通信を行う内部装置である。有線通信装置３５は、有線ＬＡＮなどのネットワークに接続され、そのネットワークに接続された他の装置とデータ通信を行う回路である。画像形成装置２が携帯端末装置１と通信を行う場合、画像形成装置２が携帯端末装置１と無線通信装置３４で直接、通信を行うようにしてもよいし、図示せぬ中継機器を介して、無線通信装置３４または有線通信装置３５で通信を行うようにしてもよい。
【００２８】
また、記憶装置３６は、フラッシュメモリー、ハードディスクなどの不揮発性の記憶装置である。記憶装置３６には、プログラム４１などが記憶されている。
【００２９】
また、コントローラー３７は、コンピューター、ＡＳＩＣ（Application Specific Integrated Circuit）などを有し、画像形成装置２内の内部装置を制御するとともに各種データ処理を実行する。コントローラー３７は、コンピューターでプログラム４１を実行することで、ジョブ管理部４２、端末追跡部４３、および警告部４４として動作する。
【００３０】
ジョブ管理部４２は、無線通信装置３４または有線通信装置３５を使用して、ジョブ要求を受信し、印刷装置３１、画像読取装置３２などの内部装置を使用して、受信したジョブ要求により指示されたジョブ（印刷ジョブなど）を実行する。
【００３１】
ジョブ管理部４２は、（ａ）受信したジョブ要求に基づき印刷ジョブの印刷所要時間を予測し、（ｂ）そのジョブ要求を送信した携帯端末装置１の現在位置に基づき、現時点での携帯端末装置１の現在位置から当該画像形成装置２までの移動時間を特定し、（ｃ）特定した移動時間が印刷所要時間以下であるか否かを繰り返し判定し、（ｄ１）特定した移動時間が印刷所要時間以下ではない場合、印刷ジョブをただちには実行せずにその印刷ジョブを待機状態とし、（ｄ２）特定した移動時間が印刷所要時間以下であると判定した場合、印刷ジョブを実行する。
【００３２】
なお、ジョブ管理部４２は、拠点（オフィスのフロアーなど）における通路、画像形成装置２の配置位置などを示すマップ情報を使用して移動経路を特定し、その移動経路に沿って移動した場合の移動時間を予測するようにしてもよい。その場合、そのマップ情報は、記憶装置３６に格納されているようにする。
【００３３】
また、ジョブ管理部４２は、各ユーザーの過去の移動経路および移動時間をログとして記憶装置３６などに記憶していき、その過去の移動経路および移動時間に基づいて移動時間を予測するようにしてもよい。
【００３４】
なお、実施の形態１では、ジョブ管理部４２は、特定した移動時間が印刷所要時間以下であると判定した場合、実行中の印刷ジョブがあるときには、特定した移動時間が、実行中の印刷ジョブのジョブ要求を送信した携帯端末装置１の現在位置から当該画像形成装置２までの移動時間より短ければ、実行中の印刷ジョブを中断して、受信したジョブ要求に従って印刷ジョブをただちに実行する。その場合、ジョブ管理部４２は、受信したジョブ要求に基づく印刷ジョブが完了した後、中断した印刷ジョブを再開する。
【００３５】
ただし、ジョブ管理部４２は、上述の実行中の印刷ジョブについての現時点の移動時間が所定値未満である場合には、上述の実行中の印刷ジョブを中断せずに、上述の実行中の印刷ジョブの完了後に、受信したジョブ要求に基づく印刷ジョブを実行するようにしてもよい。
【００３６】
端末追跡部４３は、ジョブ管理部４２により受信されたジョブ要求を送信した携帯端末装置１の現在位置を繰り返し特定する。つまり、端末追跡部４３は、無線通信装置３４または有線通信装置３５を使用して、携帯端末装置１のドライバー２２と通信し、携帯端末装置１の現在位置を示す通知を繰り返し受信して、携帯端末装置１の現在位置を継続的に特定する。
【００３７】
警告部４４は、ジョブ要求が受信されたときの携帯端末装置１の位置から当該画像形成装置２までの実際の移動時間を計測し、計測した移動時間が、最短経路に基づく標準時間より所定時間以上長い場合には、操作パネル３３や携帯端末装置１へ警告を出力する。なお、警告は、音声メッセージや表示メッセージとして操作パネル３３や携帯端末装置１からユーザーへ出力される。なお、警告部４４は、計測した移動時間の平均値が、最短経路に基づく標準時間より所定時間以上長い場合には、操作パネル３３や携帯端末装置１へ警告を出力するようにしてもよい。また、上述の標準時間は、各ユーザーの平均印刷枚数、各ユーザーの座席から当該画像形成装置２までの最短経路の距離などを考慮して設定される。さらに、経路上の所定箇所（例えば上司の座席）付近で、携帯端末装置１の現在位置が停止したまま所定時間以上変化しない場合には、警告部４４は、上述の警告を出力しないようにしてもよい。
【００３８】
次に、実施の形態１における画像形成装置２の動作について説明する。図３は、実施の形態１における画像形成装置２の動作について説明するフローチャートである。
【００３９】
画像形成装置２では、ジョブ管理部４２が、携帯端末装置１からのジョブ要求が受信されたか否かを監視しており（ステップＳ１）、携帯端末装置１からジョブ要求を受信すると、ジョブ要求に従って印刷ジョブを実行する場合の印刷所要時間を予測する（ステップＳ２）。例えば、ジョブ管理部４２は、最初のページの印刷開始までの所要時間、およびジョブ要求から特定される印刷枚数と１枚当たりの印刷時間との積を印刷所要時間として計算する。
【００４０】
また、ジョブ管理部４２は、そのジョブ要求の送信元である携帯端末装置１を特定し、端末追跡部４３を使用して、特定した携帯端末装置１の現在位置を特定し、携帯端末装置１の現在位置から画像形成装置２の設置位置までの移動時間を予測する（ステップＳ３）。例えば、ジョブ管理部４２は、携帯端末装置１の現在位置と画像形成装置２の設置位置との間の距離と、所定の移動速度とに基づいて上述の移動時間を計算する。なお、この移動速度としては、デフォルト値を使用してもよいし、実測の平均移動速度を使用してもよい。また、画像形成装置２の設置位置は、マップ情報などとして記憶装置３６に予め格納されており、ジョブ管理部４２は、記憶装置３６から画像形成装置２の設置位置の情報を読み出し、画像形成装置２の設置位置を特定する。
【００４１】
そして、ジョブ管理部４２は、現時点の移動時間が印刷所要時間以下であるか否かを判定する（ステップＳ４）。
【００４２】
現時点の移動時間が印刷所要時間以下ではない場合、ジョブ管理部４２は、ステップＳ３に戻り、再度、携帯端末装置１の現在位置を特定し、携帯端末装置１の現在位置から画像形成装置２の設置位置までの移動時間を予測し、現時点の移動時間が印刷所要時間以下であるか否かを再度判定する。
【００４３】
一方、現時点の移動時間が印刷所要時間以下である場合、ジョブ管理部４２は、実行中のジョブがあるか否かを判定する（ステップＳ５）。
【００４４】
現時点の移動時間が印刷所要時間以下である場合において、実行中のジョブがないときには、ジョブ管理部４２は、受信したジョブ要求の印刷ジョブをただちに実行する（ステップＳ６）。
【００４５】
他方、現時点の移動時間が印刷所要時間以下である場合において、実行中のジョブがあるときには、ジョブ管理部４２は、受信したジョブ要求を送信した携帯端末装置１についての移動時間が、実行中のジョブのジョブ要求を送信した携帯端末装置１についての移動時間より短いか否かを判定する（ステップＳ７）。
【００４６】
受信したジョブ要求を送信した携帯端末装置１についての移動時間が、実行中のジョブのジョブ要求を送信した携帯端末装置１についての移動時間より短い場合、ジョブ管理部４２は、実行中の印刷ジョブを中断し（ステップＳ８）、受信したジョブ要求の印刷ジョブをただちに実行する（ステップＳ６）。
【００４７】
一方、受信したジョブ要求を送信した携帯端末装置１についての移動時間が、実行中のジョブのジョブ要求を送信した携帯端末装置１についての移動時間より短くない場合、ジョブ管理部４２は、実行中の印刷ジョブを中断せずに、受信したジョブ要求の印刷ジョブを待機状態とし（ステップＳ９）、実行中の印刷ジョブの完了後に、受信したジョブ要求の印刷ジョブをただちに実行する（ステップＳ６）。
【００４８】
そして、受信したジョブ要求の印刷ジョブが完了すると、ジョブ管理部４２は、（ステップＳ８の）中断した印刷ジョブがあるか否かを判定し（ステップＳ１０）、中断した印刷ジョブがあれば、その印刷ジョブを再開する（ステップＳ１１）。
【００４９】
なお、警告部４４は、ステップＳ１においてジョブ要求が受信されたときに計時を開始し、上述の移動時間が所定値未満になるまで（つまり、移動時間が略ゼロとなり、ユーザーが印刷物を回収したものとみなせるまで）の時間を、移動時間の実測値として計測し、その移動時間の実測値を、その携帯端末装置１に関連付けて記憶する。そして、警告部４４は、上述のように、移動時間の実測値（あるいはその平均値）が、標準時間より所定時間以上長い場合には、操作パネル３３や携帯端末装置１へ警告を出力する。
【００５０】
以上のように、上記実施の形態１によれば、端末追跡部４３は、ジョブ要求を送信した携帯端末装置１の現在位置を繰り返し特定する。ジョブ管理部４２は、（ａ）そのジョブ要求に基づき印刷ジョブの印刷所要時間を予測し、（ｂ）携帯端末装置１の現在位置に基づき、現時点での携帯端末装置１の現在位置から画像形成装置２までの移動時間を特定し、（ｃ）特定した移動時間が印刷所要時間以下であるか否かを判定し、（ｄ１）特定した移動時間が印刷所要時間以下ではない場合、印刷ジョブをただちには実行せずに待機状態とし、（ｄ２）特定した移動時間が印刷所要時間以下であると判定した場合、印刷ジョブを実行する。
【００５１】
これにより、ユーザーが画像形成装置２の設置場所に到着するときに印刷ジョブがちょうど完了するように印刷ジョブが開始されるため、印刷物の待ち時間が少なく、かつ印刷物が画像形成装置に放置される可能性が低くなる。
【００５２】
実施の形態２．
【００５３】
実施の形態２では、ジョブ管理部４２は、複数の待機状態の印刷ジョブがある場合、複数の待機状態の印刷ジョブのうちのある印刷ジョブについて移動時間が所定変動幅（例えば２メートル）以上変化していない期間が所定時間以上継続したときには、その印刷ジョブについての移動時間が印刷所要時間以下になってもその印刷ジョブを実行せず、そのジョブについては移動時間が所定変動幅以上変化したときにその印刷ジョブを実行する。
【００５４】
なお、実施の形態２に係る画像形成システムのその他の構成および動作については実施の形態１と同様であるので、その説明を省略する。
【００５５】
以上のように、上記実施の形態２によれば、何らかの用事で画像形成装置２に向かって移動していないユーザーの印刷ジョブより、他のユーザーの印刷ジョブが優先的に実行される。つまり、何らかの用事で画像形成装置２に向かって移動していないユーザーの印刷ジョブを実行しても、印刷物がただちに回収されない可能性が高く、画像形成装置２に向かって移動しているユーザーの印刷物はただちに回収される可能性が高い。そのため、画像形成装置２に向かって移動しているユーザーの印刷ジョブが優先的に実行される。
【００５６】
実施の形態３．
【００５７】
実施の形態３では、ジョブ管理部４２は、印刷所要時間が所定値以上である場合、印刷ジョブにおける所定枚数だけ、ただちに印刷を実行し、未印刷の残りの印刷枚数の印刷所要時間を特定し、その後、上述の移動時間が印刷ジョブにおける残りの印刷枚数の印刷所要時間以下となったときに、残りの印刷を開始する。
【００５８】
例えば、この所定値は、上述の標準時間などに基づいて設定される。印刷所要時間が上述の標準時間より長い場合には、上述の所定枚数の先行印刷が実行される。
【００５９】
なお、実施の形態３に係る画像形成システムのその他の構成および動作については実施の形態１または実施の形態２と同様であるので、その説明を省略する。
【００６０】
以上のように、上記実施の形態３によれば、所定枚数だけ先行して印刷されるため、残りの印刷枚数の印刷所要時間が全印刷枚数の印刷所要時間より短くなり、ユーザーが画像形成装置２の設置場所に到着する時刻に合わせて印刷ジョブが完了するように印刷ジョブを開始しやすくする。
【００６１】
実施の形態４．
【００６２】
実施の形態４では、ジョブ管理部４２は、実行中の印刷ジョブについて、現時点での移動時間および残りの印刷所要時間を監視する。そして、ジョブ管理部４２は、実行中の印刷ジョブについての移動時間が増加し、かつその移動時間が残りの印刷所要時間より長くなった場合、待機状態の他の印刷ジョブがあるときには、実行中の印刷ジョブを中断し、待機状態の他の印刷ジョブを実行する。
【００６３】
なお、実施の形態４に係る画像形成システムのその他の構成および動作については実施の形態１〜３のいずれかと同様であるので、その説明を省略する。
【００６４】
以上のように、上記実施の形態４によれば、ユーザーが画像形成装置２へ向かって移動している途中で別の用事などが発生し、ユーザーが画像形成装置２から遠ざかっていく場合には、別の印刷ジョブが優先的に実行される。つまり、画像形成装置２から遠ざかっていくユーザーは、印刷物をただちに回収しない可能性が高いため、そのようなユーザーの印刷ジョブとは別のユーザーの印刷ジョブが優先的に実行される。
【００６５】
実施の形態５．
【００６６】
実施の形態５では、ジョブ管理部４２は、印刷物の排出先（排出トレイなど）が１つである場合、印刷完了後、上述の移動時間が所定値未満になるまで（つまり、移動時間が略ゼロとなり、ユーザーが印刷物を回収したものとみなせるまで）、他のジョブ要求を受け付けても、他のジョブ要求による印刷ジョブの実行を遅延させる。
【００６７】
その場合、警告部４４は、他のジョブ要求を送信した携帯端末装置１や操作パネル３３に、印刷ジョブの実行遅延を示す警告を出力するようにしてもよい。
【００６８】
なお、実施の形態５に係る画像形成システムのその他の構成および動作については実施の形態１〜４のいずれかと同様であるので、その説明を省略する。
【００６９】
以上のように、上記実施の形態５によれば、排出先において、複数のユーザーの印刷物が混載されずに済む。
【００７０】
なお、上述の実施の形態に対する様々な変更および修正については、当業者には明らかである。そのような変更および修正は、その主題の趣旨および範囲から離れることなく、かつ、意図された利点を弱めることなく行われてもよい。つまり、そのような変更および修正が請求の範囲に含まれることを意図している。
【００７１】
例えば、上記実施の形態１〜５のいずれかにおいて、印刷ジョブを中断し、別の印刷ジョブを実行する場合、ソーターなどの複数の排出先があれば、中断すべき印刷ジョブの印刷物の排出先とは異なる排出先を、別の印刷ジョブの印刷物の排出先に指定するようにしてもよい。
【００７２】
また、上記実施の形態１〜５のいずれかにおいて、印刷ジョブを中断し、別の印刷ジョブを実行する場合、警告部４４は、１つの排出先しかなく、中断すべき印刷ジョブの印刷物と、別の印刷ジョブの印刷物とがその排出先において混載されたと判定したときには、操作パネル３３または携帯端末装置１へ警告を出力するようにしてもよい。
【００７３】
また、上記実施の形態１〜５のいずれかにおいて、上述の移動時間が所定値未満になっても（つまり、移動時間が略ゼロとなり、ユーザーが印刷物を回収したものとみなせても）、印刷ジョブが完了していない場合には、警告部４４は、印刷ジョブの残りの印刷所要時間を特定し、その残りの印刷所要時間が所定値を超える場合には、操作パネル３３または携帯端末装置１へ警告を出力するようにしてもよい。
【産業上の利用可能性】
【００７４】
本発明は、例えば、複数のユーザーが使用可能な画像形成装置に適用可能である。
【符号の説明】
【００７５】
１  携帯端末装置
２  画像形成装置
４２  ジョブ管理部
４３  端末追跡部
４４  警告部
【図１】
0006525209.tif 000002
【図２】
0006525209.tif 000003
【図３】
0006525209.tif 000004